(57)【要約】  【課題】  機器箱を支持線に対し仮掛け状態において本掛け状態におき、かつ、該本掛け状態を確実に保持することのできる、屋外用機器箱の支持線掛止金具を提供する。  【解決手段】  機器箱Ｂに止着する取付け板６に支持板７を立設して本体枠１を構成する。本体枠１の前記支持板７の上部側両側に掛止片８，８を相対設し、該掛止片８の前記支持板７側の基部の下端に支持線ｍを係合して該支持線ｍに掛止する係合切欠１０を設ける。また、前記掛止片８，８間の間隙幅より一方向側の両端縁間を幅狭くし、該一方向に直交する他方向側の両端縁間を幅広くした方形板状の挟持板２を、前記支持板７を通じて該挟持板７に貫通させる締付けボルト３とこれに螺合するナット４によって前記本体枠１に組付ける。そして、挟持板２の幅広い側の一端に、前記係合切欠１０に係合させたときの支持線ｍを係合する屈曲部片３を設ける。【選択図】    図３
2011091921.tif 000002
【特許請求の範囲】
【請求項１】
機器箱に止着する取付け板に支持板を立設して本体枠を構成し、該本体枠の前記支持板の上部側両側に掛止片を相対設し、該掛止片の前記支持板側の基部の下端に支持線を係合して該支持線に掛止する係合切欠を設けると共に、前記掛止片間の間隙幅より一方向側の両端縁間を幅狭くし、該一方向に直交する他方向側の両端縁間を幅広くした方形板状の挟持板を、前記支持板を通じて該挟持板に貫通させる締付けボルトとこれに螺合するナットによって前記本体枠に組付け、該挟持板の幅広い側の一端に、前記係合切欠に係合させたときの支持線を係合する屈曲部片を設けた、機器箱の支持線用掛止金具。
【発明の詳細な説明】
【技術分野】
【０００１】
本発明は、屋外用機器箱を電柱間に架線した支持線に掛止させるために、該機器箱に止着して用いる掛止金具に関するものである。
【背景技術】
【０００２】
機器箱に止着する取付け板の上部片にベース部材を重ね合わせて取付け、該ベース部材に上方からＵ字ボルトの脚杆を貫通させて下面より該ボルトの先端を突出させ、該先端にナットを螺合する一方、前記Ｕ字ボルトのＵ字形頭部の先端を前記ベース部材に接触又は近接させるようにした構造のものがある（例えば、特許文献１）。
【先行技術文献】
【特許文献】
【０００３】
【特許文献１】実開平２−１４２９３７号公報
【発明の概要】
【発明が解決しようとする課題】
【０００４】
前記従来構造のものは、ボルトのＵ字形頭部を支持線に掛止させ、かつ、該係止状態を保持するためにナットを締付けて、Ｕ字形頭部の先端をベース部材に近接又は接触させるようにしたものであるが、支持線にＵ字形頭部を引っ掛けて仮掛止したとき、該頭部に機器箱の全荷重が負荷されるので、仮掛止状態から本掛止状態に移行するためのナットの締付け操作が該荷重の負荷によりきわめて難しくなる。そのため、いわゆる仮掛止状態におくことなく、機器箱を何等かの手段で保持しつつ、ナットの締付け操作を行う本掛止操作を行うことになり、そのための機器箱の保持は高所で行うため危険が伴う。
【０００５】
本発明は、機器箱を支持線に対して仮掛止状態に確実におくことができ、従って、本掛止状態にするための機器箱の保持作業を省略でき、しかも、特別な空間を必要としないで本掛止状態に簡単に移行して、該本掛止状態を確実に維持できる、機器箱の支持線用掛止金具を提供することを目的とするものである。
【課題を解決するための手段】
【０００６】
機器箱に止着する取付け板に支持板を立設して本体枠を構成し、該本体枠の前記支持板の上部側両側に掛止片を相対設し、該掛止片の前記支持板側の基部の下端に支持線を係合して該支持線に掛止する係合切欠を設けると共に、前記掛止片間の間隙幅より一方向側の両端縁間を幅狭くし、該一方向に直交する他方向側の両端縁間を幅広くした方形板状の挟持板を、前記支持板を通じて該挟持板に貫通させる締付けボルトとこれに螺合するナットによって前記本体枠に組付け、該挟持板の幅広い側の一端に、前記係合切欠に係合させたときの支持線を係合する屈曲部片を設けた構成とする。
【発明の効果】
【０００７】
本発明によれば、支持板の内側の片面を一部とする係合切欠を一対の掛止片に設けた態様のものであるから、該掛止片を支持線に掛止するに際し、前記支持板の内面を掛止片間に連続する案内材として利用して両掛止片を支持線に掛止することができ、従って、支持線に対する掛止操作を円滑に行うことができる。
【０００８】
また、前記片面が支持線に接するので、係合切欠を、すなわち掛止片を支持線に掛止した、安定した仮掛止状態を得られ、本締め操作を円滑に行うことができる。
【０００９】
そして、本締め時には、挟持板の方向を変えて係止片間の係合間隙に係合させてボルトを締め付けることによって当該締付け状態を得られ、屈曲部片の存在によって支持線の係合切欠からの離脱を確実に防止し、挟持板と支持板とによる支持線の挟持による、安定した機器箱の支持線掛止状態を得られる。
【図面の簡単な説明】
【００１０】
【図１】使用状態を示す斜視図。
【図２】使用状態を示す断面図。
【図３】分解斜視図。
【図４】本体枠の正面図。
【図５】本体枠の平面図。
【図６】本体枠の側面図。
【図７】挟持板の正面図。
【図８】挟持板の側面図。
【実施例】
【００１１】
図面は本発明に係る機器箱の支持線用掛止金具の一実施例を示し、実施例の支持線用掛止金具Ａは、本体枠１と挟持板２を、締付けボルト３とこれに螺合するナット４によって互いに組付けて構成したものである。
【００１２】
本体枠１は、取付け板６と該取付け板６の一側中央に突設した部片を折り曲げて起立させて設けた支持板７とを備え、前記取付け板６に設けた透孔５に取付けボルトｂを通し、該ボルトｂの先端を機器箱Ｂ側に設けたねじ孔に螺合させて、本体枠１は機器箱Ｂに取付けられる。
【００１３】
また、取付け板６と共に本体枠１を構成する前記支持板７は、その中央に前記締付けボルト３を貫通させて組合わせる透孔９を備え、また、上部両側を前記取付け板６側に折り曲げるようにして互いに相対させて設けた掛止板８，８を備え、該掛止板８の下端には前記支持線ｍを係合して、該支持線ｍに掛止する係合切欠１０を設けてある。
【００１４】
係合切欠１０は、前記支持板７の内側の片面を一側縁１０´とし、該一側縁１０´に対し開口端側の下端から上方の奥端１０´´´に向って次第に近接するように傾斜させた他側端１０´´を掛止板８で構成するようにして、掛止板８の支持板７側の基部下端に設けたものである。この係合切欠１０は、前記他側端１０´´を、下端の前記開口端側から上端の円弧状の前記奥端１０´´´に至るに従い、その径幅を狭くする傾斜状にすることによって、掛止作業初期時に該他側端１０´´を支持線ｍに引っ掛けることによって支持線ｍに対する掛止板８すなわち本体枠１の（仮）掛止作業が容易に行える。
【００１５】
前記挟持板２は、前記掛止板８，８間の間隙幅より、一方向に相対する一対の側端２ａ，２ａ´間の幅ａを狭くし、前記一方向に対して直交して他方向に相対する他の一対の側端２ｂ，２ｂ´間の幅ｂを広くし、ほぼ中央に締付けボルト３を通す透孔１５を設けた方形状の金属板で構成する。
【００１６】
この挟持板２の、掛止板８，８の間隙幅より幅広い側の、一対の側端２ｂ，２ｂ´の一方の側端２ｂ部には、挟持板２に対して直角方向に突出する突出部片１２を設け、また、他方の側端２ｂ部´´には前記突出部片１２の突出方向側の片面を凹入させた屈曲部片１３を設け、挟持板２は、これら突出部片１２と屈曲部片１３を設けた両側端部が掛止板８，８の先端に接して掛止板８，８間に渡し、該渡した状態を前記締付けボルト３とナット４による締め付けによって保持するようにしてある。
【００１７】
そして、透孔５を通した取付けボルトｂをねじ孔に螺合して取付け板６を機器箱Ｂに締め付けるようにして、本体枠１を機器箱Ｂに取付け、該取付け作業と前後して本体枠１に、該本体枠１に設けた透孔９に通した締付けボルト３とこれに螺合したナット４によって本体枠１に組付けた挟持板２を、幅広い（長い）側の両端部２ｂ，２ｂ´を本体枠１の掛止板８，８にかけ渡してナット４を締付けて該かけ渡し状態を保持させると、掛止板８の下端部に設けた係合切欠１０の開口端は開口状態におかれる。
【００１８】
この状態で機器箱Ｂを持ち上げて係合切欠１０に支持線ｍを係合するようにして掛止金具Ａを支持線ｍに引っ掛けて仮掛止状態にし、該仮掛止状態にしてナット４を緩めて、挟持板２を前記かけ渡し状態から９０度回して掛止板８，８間に介在させて締付けボルト３に沿わせて後退させると、挟持板２は掛止板８，８間に係合され、この状態でナット４を締めると、挟持板２は、突出部片１２の先端が支持板７の片面に接し、ナット４の締付け操作の継続により、該突出部片１２の支持板７に接する先端を支点として回って、支持板７の反対側に配した屈曲部片１３の内側の凹入部に支持線ｍは係合され、機器箱Ｂの支持線ｍに対する本掛止状態を得られる。
【符号の説明】
【００１９】
１      本体枠
２      挟持板
３      締付けボルト
４      ナット
６      取付け板
７      支持板
８      掛止板
１０    係合切欠
１３    屈曲部片
ｍ      支持線
【図１】
2011091921.tif 000003
【図２】
2011091921.tif 000004
【図３】
2011091921.tif 000005
【図４】
2011091921.tif 000006
【図５】
2011091921.tif 000007
【図６】
2011091921.tif 000008
【図７】
2011091921.tif 000009
【図８】
2011091921.tif 000010